【手続補正書】
【提出日】平成24年4月19日(2012.4.19)
【手続補正１】
【補正対象書類名】特許請求の範囲
【補正対象項目名】全文
【補正方法】変更
【補正の内容】
【特許請求の範囲】
【請求項１】
遊技状態に応じて発光演出を行う発光演出装置を備えた遊技機において、
前記発光演出装置は、
上下方向に延在する中心軸周りに複数配設される発光手段と、
中心軸方向に中空円筒状に形成され、前記発光手段から発せられた光を周囲に反射させるための内部リフレクタと、
透光性部材によって形成され、前記発光手段から発せられた光を区画するように前記内部リフレクタの周囲に放射状に配設される複数の区画レンズと、
逆カップ状の透光性部材によって形成され、前記内部リフレクタと前記区画レンズとを覆うように配設されるカバー部材と、
前記内部リフレクタの内部を介して前記カバー部材の頂部に向かって光を発する中央発光手段と、を備えることを特徴とする遊技機。
【請求項２】
前記複数の区画レンズは、外端面が上方に向かって徐々に前記内部リフレクタに接近するように湾曲形成され、
前記複数の発光手段のうちの一部は、前記区画レンズの下端面に対向するように配置され、
前記区画レンズの外端面には、前記発光手段から発せられた光を外側方向に屈折させる段差状の外面レンズカット部が形成されることを特徴とする請求項１に記載の遊技機。
【請求項３】
前記内部リフレクタは、前記発光手段から離れるほど外径が大きくなる拡径部を有し、
前記拡径部は、その外周に段差面を備えることを特徴とする請求項１又は請求項２に記載の遊技機。
【請求項４】
前記発光演出装置は、
前記カバー部材の後方に配設され、前記カバー部材を透過した前記発光手段からの光を遊技者側に反射させるための外部リフレクタと、
透光性部材により形成され、前記外部リフレクタの裏面側に当該外部リフレクタに沿うように配設される外部レンズと、
前記外部レンズの下端面に対向するように配設され、その端面に向かって光を発する外部発光手段と、を備え、
前記外部リフレクタには、前後方向に貫通し、前記外部発光手段から発せられた光を前方に通過させるための貫通口が形成され、
前記外部レンズには、前記外部発光手段から発せられた光を屈折させて前記貫通口に導く外部レンズカット部が形成されることを特徴とする請求項１から請求項３のいずれか一つに記載の遊技機。
【手続補正２】
【補正対象書類名】明細書
【補正対象項目名】０００７
【補正方法】変更
【補正の内容】
【０００７】
第１の発明は、遊技状態に応じて発光演出を行う発光演出装置を備えた遊技機において、前記発光演出装置は、上下方向に延在する中心軸周りに複数配設される発光手段と、中心軸方向に中空円筒状に形成され、前記発光手段から発せられた光を周囲に反射させるための内部リフレクタと、透光性部材によって形成され、前記発光手段から発せられた光を区画するように前記内部リフレクタの周囲に放射状に配設される複数の区画レンズと、逆カップ状の透光性部材によって形成され、前記内部リフレクタと前記区画レンズとを覆うように配設されるカバー部材と、前記内部リフレクタの内部を介して前記カバー部材の頂部に向かって光を発する中央発光手段と、を備えることを特徴とする。
【手続補正３】
【補正対象書類名】明細書
【補正対象項目名】０００８
【補正方法】変更
【補正の内容】
【０００８】
第２の発明は、前記複数の区画レンズは、外端面が上方に向かって徐々に前記内部リフレクタに接近するように湾曲形成され、前記複数の発光手段のうちの一部は、前記区画レンズの下端面に対向するように配置され、前記区画レンズの外端面には、前記発光手段から発せられた光を外側方向に屈折させる段差状の外面レンズカット部が形成されることを特徴とする。
【手続補正４】
【補正対象書類名】明細書
【補正対象項目名】０００９
【補正方法】変更
【補正の内容】
【０００９】
第３の発明は、前記内部リフレクタは、前記発光手段から離れるほど外径が大きくなる拡径部を有し、前記拡径部は、その外周に段差面を備えることを特徴とする。
【手続補正５】
【補正対象書類名】明細書
【補正対象項目名】００１０
【補正方法】変更
【補正の内容】
【００１０】
第４の発明は、前記発光演出装置は、前記カバー部材の後方に配設され、前記カバー部材を透過した前記発光手段からの光を遊技者側に反射させるための外部リフレクタと、透光性部材により形成され、前記外部リフレクタの裏面側に当該外部リフレクタに沿うように配設される外部レンズと、前記外部レンズの下端面に対向するように配設され、その端面に向かって光を発する外部発光手段と、を備え、前記外部リフレクタには、前後方向に貫通し、前記外部発光手段から発せられた光を前方に通過させるための貫通口が形成され、前記外部レンズには、前記外部発光手段から発せられた光を屈折させて前記貫通口に導く外部レンズカット部が形成されることを特徴とする。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】変更
【補正の内容】
【００１５】
第１の発明によれば、発光手段から発せられた光は内部リフレクタによって周囲に反射される。区画レンズは、発光手段からの光や内部リフレクタによって反射された光が拡散し過ぎてしまわないように内部リフレクタの周囲を区画するので、内部リフレクタによって反射された光が際立つようになる。また、区画レンズは透光性であるので、内部リフレクタの後側で発光手段が点灯した場合であっても、遊技者は、後側の光を区画レンズを介して視認することができる。このように発光演出装置からは変化に富んだ光が発せられるので、効果的な発光演出を行うことが可能となる。また、複数の発光手段を順番に点灯すれば、発光演出装置からの光が回転しているような発光演出も可能となる。また、カバー部材の頂部を発光させることが可能なため、発光演出装置による発光演出効果をさらに高めることができる。
【手続補正１１】
【補正対象書類名】明細書
【補正対象項目名】００１６
【補正方法】変更
【補正の内容】
【００１６】
第２の発明によれば、区画レンズの内部を通過する光の屈折方向を外面レンズカット部で変化させることができ、光の進路が単調となるのを抑制することが可能となり、発光演出効果をさらに高めることができる。
【手続補正１２】
【補正対象書類名】明細書
【補正対象項目名】００１７
【補正方法】変更
【補正の内容】
【００１７】
第３の発明によれば、内部リフレクタの拡径部の段差面で、発光手段から発せられた光の反射方向に変化をつけることができ、反射光の進路が単調となることを抑制することが可能となる。したがって、発光演出装置による発光演出効果をさらに高めることが可能となる。
【手続補正１３】
【補正対象書類名】明細書
【補正対象項目名】００１８
【補正方法】変更
【補正の内容】
【００１８】
第４の発明によれば、カバー部材を透過した光を外部リフレクタによって遊技者側に反射させるので、遊技者は外部リフレクタからの反射光も視認することが可能となる。また、外部発光手段から発せられた光が外部リフレクタの貫通口を通って遊技者側に進行するので、遊技者は外部発光手段からの光を視認することが可能となる。
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】